(57)【要約】【課題】就寝中の個人の空気調和により健康の維持と促進を図る空調枕を提供することを目的とする。【解決手段】縦長円筒状の躯体２の外周空気を吸引する吸込口３と吹出口４を開口し、内部に送風部７、水タンク８及び水タンク８の水を気化する気化フイルタ９を設け、送風部７のシロッコ翼車１２を運転すること吸引された外周空気は気化フイルタ９を通過する時、気液接触によって気化熱による冷却と共に加湿がなされ、適度な潤いの新鮮な空気として、吹出口４から送気管１７を経て枕本体１５の連続気泡の材料で形成した外層部１６へ送り込まれ、調和空気の雰囲気を枕の回りに生成するようにしたものであり、使用者の快眠と睡眠中の疲労回復を促進できるという効果のある空調枕を得られる。【選択図】図１
2005111048.tif 000002
【特許請求の範囲】
【請求項１】
少なくとも外層部を連続気泡の多孔質材によって充填した枕本体と、躯体内に室内空気を吸引するための吸込口と、前記吸込口から吸気する送風機と、水タンクと気化フイルタを設け気化熱を利用して吸引した前記室内空気を冷却する冷却部と、冷却した前記室内空気の吐出口を設け、前記吐出口と前記枕本体の外層部を通風路によって連通する空調枕。
【請求項２】
少なくとも外層部を連続気泡の多孔質材によって充填した枕本体と、躯体内に室内空気を吸引するための吸込口と、前記吸込口から吸気する送風機と、吸引した前記空気の加湿並びに脱臭を図る水タンク及び前記水タンクの水を吸引する回転噴射盤を有する水微細化装置を備えた真気発生部と、前記真気発生部を通過した前記室内空気の吐出口を設け、前記吐出口と前記枕本体の外層部を通風路によって連通する空調枕。
【請求項３】
送風機と回転噴射盤の駆動は個別に行う切替装置を設けた請求項２記載の空調枕。
【請求項４】
枕本体の外層部は両端部を連続気泡の多孔質材とした請求項１〜３記載の空調枕。
【請求項５】
躯体内に室内空気を吸引するための吸込口と、前記吸込口から吸気する送風機と、吸引した前記空気の加湿並びに脱臭を図る水タンク及び前記水タンクの水を吸引する回転噴射盤を有する水微細化装置を備えた真気発生部と、前記真気発生部を通過した前記室内空気の吐出口を設け、前記吐出口は屈曲自在の可撓管とし、下流側の先端にラッパ状吹出口を設け使用者の顔面に向けて調和空気を放出する水微細化装置。
【請求項６】
枕本体の外層部あるいは使用者の顔面に向けて吹出す空気に酸素を補給する酸素付加装置を備えた請求項２記載の空調枕または請求項５記載の水微細化装置。
【請求項７】
通風路は下流側末端をラッパ状で枕本体の外層部に装着可能の可撓管とした請求項５または６記載の水微細化装置。
【請求項８】
通風路は下流側に切替弁を設けて二股に分岐し一端をラッパ状吹出口とし、他端を枕本体に装着可能の可撓管とした請求項５または６記載の水微細化装置。
【請求項９】
就寝時の使用者の顔面に近い寝台のヘッドボードに装着する掛止部を躯体外に設けた請求項１〜４記載の空調枕並びに請求項５〜８記載の水微細化装置。
【請求項１０】
躯体内に室内空気を吸引するための吸込口と、前記吸込口から吸気する送風機と、吸引した前記室内空気の吐出口を連通する通風路を設け、前記通風路に水タンク及び前記水タンクの水を吸引する回転噴射盤を有する水微細化装置を備えた真気発生部と、吸引した前記室内空気に各種栄養素を噴霧添加するエアサプリメント部を備えたエアサプリメント装置。
【発明の詳細な説明】
【技術分野】
【０００１】
本発明は、主として寝室における睡眠に配慮した個人用の空調装置に関する。
【背景技術】
【０００２】
従来、この種の睡眠に配慮した装置は、冷却作用が長時間持続する冷却枕が知られている（例えば、特許文献１参照）。
【０００３】
以下、その冷却枕について図７を参照しながら説明する。
【０００４】
図に示すように、冷却枕１０１の基底部１０２は、水を蓄えるタンクとしての役割を兼ね、回路ユニット１０３を取り付けるための回路ユニット装着部（図示無し）、フアン１０４が吸入した空気を流す通風路（図示無し）、通風路を経た空気を通風マット１０５に送り出す接続部（図示無し）、基底部１０２の底部からタンク内の水を後述の導水シートに供給するための給水口（キャップ１０６）等が設けられるが、これらはブロー成形により一体成形される。基底部１０２の上には弾性部材１０７が取り付けられ、その上には通風マット１０５が載置され、通風マット１０５の上には気化部１０８が載置・固定される。この構成により基底部１０２の水はＰＶＡスポンジ製の導水シートを経て気化部１０８の気化シートに伝わり、短い時間で気化シートの全体が湿った状態になる。そして回路ユニット１０３のスイッチをオンするとフアン１０４が作動し外部から基底部１０２の内部に空気が吸入され通風路に沿って流れ通風マット１０５の内部に流入し気化シートに保持された水と密に接し、盛んに気化させることによって気化シート全体の温度が下がり防水シートを介して載せられた頭部を効率よく冷却している。
【０００５】
また、冷却寝具、冷却座布団、冷却マット、冷却椅子、冷却服、並びに冷却靴が知られている（例えば、特許文献２参照）。
【０００６】
以下、上記のものについて要約を説明する。冷却寝具、冷却座布団、冷却マット、冷却椅子、冷却服、冷却靴は、いずれも体に近接する部分に略平行平面状の冷却流通路を形成する、という共通の構造的特徴を有し、この冷却流通路に、体温よりも温度が低い周囲の空気を体表とほぼ平行に流通させることによって体を冷却する、という共通の冷却作用を利用している。すなわち、部屋全体の温度を下げるのではなく、人の体表からごく近い部分に、部屋と同じ温度の空気の層を形成して体表付近の温度勾配を強制的に大きくし、これによって熱の放出量を多くして、涼しさを感じるようにする。体表の近傍に部屋の空気と同じ温度の空気層を形成するには、体表近傍に空気の流通路を形成し、ここに体表と平行に部屋の中の空気を流通させればよい。流通路を形成するために、本発明の各実施例では、それぞれに応じた形状のスペーサを用いている。
【特許文献１】特開２００１−７８８７０号公報（第４頁、第２図）
【特許文献２】特開２００１−８１５５７３号公報
【発明の開示】
【発明が解決しようとする課題】
【０００７】
このような従来の冷却枕は、枕本体内に機器を配設し、気化熱の作用で冷却を図り、使用前の準備が簡単で、冷却作用が長時間持続するが、内蔵機器の駆動による摺動音並びに振動の直接的な伝搬や枕自体の形状寸法並びに弾力性等に係る選択の制約という課題があり、物理的刺激の減少と共に構造の自由度を広げることが要求されている。
【０００８】
また、快適で生理上も良質の睡眠が幅広い年齢層の中で求められるなかで、睡眠誘導から睡眠中の健康維持促進に対する期待が顕在し、睡眠に対する不満が多いという課題があり、昼間活動期の大気汚染や紫外線等による損傷の回復等、夏場の快眠促進を図ることが要求されている。
【０００９】
また、老年層の人口比率増加に伴い高齢者の生理特性に合わせた周囲空気の就寝中の制御を行うことが要求されている。
【００１０】
本発明はこのような従来の課題を解決するもので、枕本体と空気調和機器が各々の性能を発揮することができ、睡眠誘導から就寝中の健康維持促進を図る空気調和ができる空調枕及び水微細化装置とエアサプリメント装置を提供することを目的としている。
【課題を解決するための手段】
【００１１】
本発明の空調枕は上記目的を達成するために、外層部を連続気泡の多孔質材によって充填した枕本体と、躯体内に室内空気を吸引するための吸込口及び送風機と、水タンクと気化フイルタを設け冷却部と、吸引した室内空気の吐出口を設け、吐出口と枕本体の外層部を通風路によって連通するものである。
【００１２】
これにより、枕本体と分離した空気調和機器が気化熱による冷却並びに加湿された気流を枕本体に送気することにより睡眠の導入と安定を図ることができる空調枕が得られる。
【００１３】
また他の手段は、外層部を連続気泡の多孔質材によって充填した枕本体と、躯体内に室内空気を吸引するための吸込口及び送風機と、水タンク及び回転噴射盤を有する水微細化装置を備えた真気発生部と、この真気発生部を通過した室内空気の吐出口を設け、この吐出口と枕本体の外層部を通風路によって連通するものである。
【００１４】
これにより、水微細化によるマイナスイオンの発生及び気化熱による冷却並びに加湿された気流により睡眠の導入、安定と就寝中の健康維持促進を図ることができる空調枕が得られる。
【００１５】
また他の手段は、送風機と回転噴射盤の駆動は個別に行う切替装置を設けたものである。
【００１６】
これにより、常温の気流のみを枕本体の外層部より吹出すことにより発汗の蒸発を促進し、気化熱による頭部の冷却ができる。
【００１７】
また、枕本体の外層部は両端部を連続気泡の多孔質材としたものである。
【００１８】
これにより、顔面に近いが直接当ることのない気流は、過敏症の人でも快眠が得られる。
【００１９】
また他の手段は、躯体内に室内空気を吸引するための吸込口及び送風機と、水タンク及び回転噴射盤を有する水微細化装置を備えた真気発生部と、この真気発生部を通過した室内空気の吐出口を設け、この吐出口は屈曲自在の可撓管とし、下流側の先端にラッパ状吹出口を設けたものである。
【００２０】
これにより、調和された空気の放出を効果的にすることができる水微細化装置が得られる。
【００２１】
また他の手段は、室内へ吹出す空気に酸素を補給する酸素付加装置を備えたものである。
【００２２】
これにより、昔の人と比べて現代人は睡眠中の酸素補給能力が低下していると言われる中で、中高年層をはじめ高齢者の心身の緊張緩和が促進されるものである。
【００２３】
また、通風路は下流側末端をラッパ状の可撓管とし枕本体の外層部に装着可能としたものである。
【００２４】
これにより、必要に応じて枕本体からの吹出気流のほかに使用者の顔面へ集中する吹出気流も選択できる水微細化装置が得られる。
【００２５】
また、通風路は下流側に切替弁を設けて二股に分岐し一端をラッパ状吹出口とし、他端を枕本体に装着可能の可撓管としたものである。
【００２６】
これにより、枕本体からの吹出気流又は顔面への吹出気流の選択が切替弁の操作で簡易にできる水微細化装置が得られる。
【００２７】
また、就寝時の使用者の顔面に近い寝台のヘッドボードに装着する掛止部を躯体に設けたものである。
【００２８】
これにより、躯体の設置が床面以外でも容易となる。
【００２９】
本発明のエアサプリメント装置は上記目的を達成するために、躯体内に室内空気を吸引するための吸込口及び送風機と、吸引した空気の吐出口を連通する通風路を設け、この通風路に水タンク及び回転噴射盤を有する水微細化装置並びに各種栄養素を放出するエアサプリメント部を設けたものである。
【００３０】
この手段により、マイナスイオンの発生と気化熱による冷却並びに加湿により身辺の不快さを解消し体調及び体質を改善するエアサプリメント装置が得られる。
【発明の効果】
【００３１】
本発明によれば、水微細化装置で吸引した室内空気に水を噴霧し気液接触させた自然の浄化作用によるマイナスイオンの生成、加湿及び脱臭作用によるマイナスイオンと気化熱による冷却並びに加湿された気流を枕から放出することで、夏期には頭部の爽やか涼感による冷房機や扇風機による冷え過ぎ防止と緊張緩和が得られ、乾燥する冬期は結露を起こさない頭部周辺の加湿が居住者の快眠を誘引し、睡眠中の疲労回復を促進する効果がある。
【００３２】
また、酸素付加装置による酸素補足は、特に高齢者の心身の緊張緩和と健康増進をする効果がある。
【００３３】
本発明によれば、水微細化装置で吸引した室内空気に水を噴霧し気液接触させた自然の浄化作用による加湿及び脱臭並びに各種栄養素を添加した個人的な雰囲気を生成することで不足しがちな各種栄養素を、居住者の睡眠中に呼気や皮膚から吸収し、風邪の予防など免疫力の向上並びに肌の潤いによる健康な素肌を保つという美容効果のあるエアサプリメント装置を提供できる。
【発明を実施するための最良の形態】
【００３４】
本発明の請求項１記載の発明は、外層部を連続気泡の多孔質材によって充填した枕本体と、躯体内に室内空気を吸引するための吸込口と、吸込口から吸気する送風機と、水タンクと気化フイルタを設け気化熱を利用して吸引した室内空気を冷却する冷却部と、吸引し冷却した室内空気の吐出口を設け、吐出口と前記枕本体の外層部を通風路によって連通するものであり、水タンクの水を吸上げた気化フイルタに吸引された気流は接触し気化熱による冷却並びに加湿され、通風路を経て静かな空気の雰囲気を枕本体の回りに生成するという作用を有する。
【００３５】
また、請求項２記載の発明は、外層部を連続気泡の多孔質材によって充填した枕本体と、躯体内に室内空気を吸引するための吸込口と、吸込口から吸気する送風機と、吸引した空気の加湿並びに脱臭を図る水タンク及び水タンクの水を吸引する回転噴射盤を有する水微細化装置を備えた真気発生部と、この真気発生部を通過した室内空気の吐出口を設け、この吐出口と枕本体の外層部を通風路によって連通したものであり、水タンクの水は回転噴射盤により吸引され躯体内壁に噴射衝突し粉砕することでマイナスイオンが発生し、粉砕微細化した水のフイルタが吸引した空気の臭いと汚れの捕捉及び加湿、水微細化時の気化熱が冷却をする作用を有する。
【００３６】
また、請求項５記載の発明は、躯体内に室内空気を吸引するための吸込口と、この吸込口から吸気する送風機と、吸引した空気の加湿並びに脱臭を図る水タンク及び水タンクの水を吸引する回転噴射盤を有する水微細化装置を備えた真気発生部と、この真気発生部を通過した室内空気の吐出口を設け、この吐出口は屈曲自在の可撓管とし、下流側の先端にラッパ状吹出口を設けたものであり、吸引した空気は臭いや汚れを取除くと同時に適度な潤いを含ませるマイナスイオンの発生と気化熱による冷却並びに加湿及び脱臭がされた調和空気となり、使用者の顔面に集中して効果的に放出されるという作用を有する。
【００３７】
また、請求項６記載の発明は、室内へ吹出す空気に酸素を補給する酸素付加装置を備えたものであり、森林や高原の酸素濃度を再現できるという作用を有する。
【００３８】
本発明の請求項１０記載の発明は、躯体内にを吸引するための吸込口と、吸込口から吸気する送風機と、吸引した室内空気の通風路に水タンク及び水タンクの水を吸引する回転噴射盤を有する水微細化装置と、各種栄養素を噴霧するエアサプリメント部と、下流に通過した空気の吐出口を設けたものであり、水微細化装置で水タンクの水は回転噴射盤により吸引され躯体内壁に噴射衝突し粉砕することでマイナスイオンが発生し、粉砕微細化した水のフイルタが吸引した空気の臭いと汚れの捕捉及び加湿、水微細化時の気化熱が冷却をし、エアサプリメント部で各種栄養素を噴霧添加した空気の雰囲気を生成する作用を有する。
【００３９】
以下、本発明の実施例について図面を参照しながら説明する。
【００４０】
（実施の形態１）
図１及び図２に示すように、空調枕の空調本体１は縦長の円筒状にステンレス鋼板で形成した躯体２の外周下方に周囲の空気を吸引する吸込口３と、同じ外周の上方で吸込口３と反対する位置に吸引した空気の吹出口４を開口している。そして躯体２の頂部は開放して蓋体５を嵌め込み固定する。また底部は台座６を装着し空調本体１を安定して立設させている。躯体２の内部は、上部の送風部７と、下部の水タンク８と気化フイルタ９からなる冷却部１０から構成される。送風部７は回転軸が垂直になるよう電動機１１が固定され、その回転軸には吹出口４に対応してシロッコ翼車１２が軸支され、その周囲を吹出口４につながるケーシング１３に囲まれる。シロッコ翼車１２による送風の吹出口４は円形で、ここに挿着される送気管のプラグを係止する。冷却部１０の水タンク８から気化フイルタ９が吸込口３から吹出口４に至る気流路１４を遮断するように張り渡される。そして気化フイルタ９には吸水性と通気性を兼ね備えた化学繊維の不織布を用いる。
【００４１】
枕本体１５は、外層部１６を連続気泡のウレタンスポンジで形成して外皮は通気性の良い麻布等で覆っている。そして頭頂部側の端部には、外層部１６と空調本体１の吹出口４を連通する送気管１７を装着し固定している。そして送気管１７はシリコンゴム等の柔軟な材料で蛇腹状に形成され、吹出口４へ連通する端部は硬質合成樹脂で形成される円筒状のプラグ１８で、外周に若干のテーパを設けて吹出口４に気密に挿着されている。
【００４２】
上記構成において、まず水タンク８に所定量の注水を行い気化フイルタ９に吸水させる。次に電動機１１を起動しシロッコ翼車１２の回転によって吸込口３から吸引された空気は気化フイルタ９を通過する時、フィルタ９が吸水した水の蒸発を気流により促進し気化熱で冷却される。そして適度な潤いの新鮮な空気は送気管１７を経て枕本体１５の外層部１６へと送り込まれ、気化熱による冷却並びに加湿された空気は外層部１６表面からほぼ均等に立ち昇るように吹出し、調和空気の雰囲気を枕本体１５の回りに生成することになる。
【００４３】
また、枕本体１５の外層部１６は、ウレタンスポンジの全面を連続気泡にしないで両端部の表面以外は単独気泡とすることにより、使用者の頭部が横向きとなった場合、まぶた、鼻腔、唇など比較的皮膚感覚が敏感な部分に吹出し気流が直接当り難くなり、神経過敏な人にも支障なく使用することができるものである。
【００４４】
（実施の形態２）
図３に示すように、本形態２の空調枕の外観は上記の形態１と同様であり、構成の同一箇所については同一符号を付し詳細な説明は省略する。
【００４５】
空調本体１９は縦長の円筒状にステンレス鋼板で形成した躯体２０の外周下方に周囲の空気を吸引する吸込口３と、同じ外周の上方で吸込口３と反対する位置に吸引した空気の吹出口４を開口している。そして躯体２０の頂部は開放して蓋体５を嵌め込み固定する。また底部は台座６を装着し空調本体１９を安定して立設させている。躯体２０の内部は、中部の駆動部２１と、下部の水と空気の気液接触を行うアクアユニット部２２と、上部の送風部９から構成される。駆動部２１は両端に突出た回転軸が垂直になるよう電動機２３が固定される。アクアユニット部２２の内部は、底部の水タンク２４と、電動機２３の下方回転軸に軸支される回転噴射盤２５が逆円錐状の吸水管２６の先端をこの水タンク２４の貯水に沈めている。吸水管２６の上部は円盤状に広がり、その外周を囲むように衝突壁２７が吸込口３に対応する躯体２０の内周に沿って円周状に固定されている。そして電動機２３の上方回転軸には気水分離板２８が固定される。また、電動機２３の上方回転軸の先端部には吹出口４に対応してシロッコ翼車１２が軸支され、その周囲を吹出口４につながるケーシング１３に囲まれる。シロッコ翼車１２による送風の吹出口４は円形で、ここに挿着される送気管１７のプラグ１８を係止する。
【００４６】
枕本体１５は、外層部１６を連続気泡のウレタンスポンジで形成して外皮は通気性の良い麻布等で覆っている。そして頭頂部側の端部には、外層部１６と空調本体１９の吹出口４を連通する送気管１７を装着し固定している。
【００４７】
上記構成において、まず水タンク２４に所定量の注水を行い、次に電動機２３を起動する。アクアユニット部２２の内部において、回転噴射盤２５が回転し、吸水管２６が遠心力で水を吸い上げ円盤状の外周から衝突壁２７に向けて放出され衝突粉砕し噴霧となる。このときマイナスイオンが発生する。そしてこの噴霧はシロッコ翼車１２の回転によって吸込口３からの吸引空気と気液接触することで空気中の微粒子、ガスの除去及び熱交換、絶対湿度のコントロールをする。また、気水分離板２８のところで汚染物質を抱え込み大きくなったプラスイオンの水滴は気水分離され水タンク２４に戻される。そして適度な潤いの新鮮な空気はマイナスイオンと共に送気管１７を経て枕本体１５の外層部１６へと送り込まれてマイナスイオンの発生と気化熱による冷却並びに加湿及び脱臭をした空気の雰囲気を枕本体１５の回りに生成することになる。
【００４８】
また、シロッコ翼車１２と回転噴射盤２５の駆動は個別に行う切替装置を設けることで、特に冷却及び加湿を必要としないが、頭部及び首筋付近に発汗がある場合には回転噴射盤２５の駆動は止めて運転することで、常温の空気流でも発汗の蒸発が促進され気化熱により冷却が起こり快眠効果が得られる。切替装置の例としては機械的接触によるジョークラッチ等が構造簡易小型で適切である。
【００４９】
（実施の形態３）
図４に示すものは、実施の形態２の空調枕における通風路を屈曲自在の可撓管２９とし、下流側の先端は枕本体１５に代えてラッパ状吹出口３０を設けることにより、調和空気の放出を使用者の顔面に集中させる水微細化装置としたものである（実施の形態１及び２と同一の構成箇所については説明を省略）。
【００５０】
また、空調本体１９の設置を容易にするため躯体２０の外周に寝台のヘッドボードに装着する逆Ｕ字状の掛止部３３を設けるものとする。
【００５１】
（実施の形態４）
図５に示すものは、水微細化装置の空調本体１９に酸素を補給する酸素付加部を備えたものであり、実施の形態２と同様箇所には同一符号を付し説明を省略する。すなわち、躯体２０の蓋体５の内部に酸素発生装置３１を設け、これと吹出口４の開口内側を細管３２で接続している。そして別途にスイッチを設けて必要に応じて適度な潤いの新鮮な空気にマイナスイオンとともに酸素を付加することで森林や高原の環境空気を再現できるものである。
【００５２】
なお、酸素発生装置は化学合成によるものや、最近市販されている携帯用の軽便ボンベのような物を用いることが可能である。
【００５３】
また、酸素供給以外の頭部冷却時には、空調枕からの吹出しの方が効果的で、可撓管をラッパ状吹出口または枕本体に装着可能にすることにより、必要に応じてつなぎ変え、枕本体からの吹出気流のほかに使用者の顔面へ集中する吹出気流も選択できる。
【００５４】
また、可撓管に切替弁を設けて二股に分岐させ、一端をラッパ状吹出口、他端を枕本体に装着することにより、枕本体からの吹出気流又は顔面への吹出気流の選択が切替弁の操作で簡易にできる。
【００５５】
（実施の形態５）
図６に示すものは、エアサプリメント装置３４は縦長の円筒状にステンレス鋼板で形成した躯体３５の外周下方に周囲の空気を吸引する吸込口３６と、同じ外周の上方で吸込口３６と反対する位置に吸引した空気の吹出口３７を開口している。そして躯体３５の頂部は開放して蓋体３８を嵌め込み固定する。また底部には台座３９を装着し躯体３５を安定して立設させている。躯体３５の内部は、酸素及び各種栄養素を室内空気に補足するサプリメント部４０が蓋体３８の直下に収装され、中部の駆動部２１、下部の水と空気の気液接触を行うアクアユニット部２２、そして上部の送風部９から構成される。駆動部２１、アクアユニット部２２及び送風部９について実施の形態２と同一であり内部の各部にも同一符号を付して詳細な説明は省略する。
【００５６】
サプリメント部４０は、複数の容器４０ａ、４０ｂから細管４１ａ、４１ｂを導出し、空気の吹出口３７の開口内側に噴霧口４２を設けて、これに電磁ポンプ４３ａ、４３ｂを介して連通させて配設している。
【００５７】
上記構成において、一例として容器４０ａにはカモミールのハーブ水溶液、容器４０ｂには泌乳刺激ホルモンのプロラクチンの水溶液を貯留する。また水タンク２４には所定量の注水を行う。そして駆動部２１を運転すると、吸込口３６からの吸引空気はアクアユニット部２２で気液接触することで空気中の微粒子、ガスの除去及び熱交換、絶対湿度のコントロールをされた適度な潤いの新鮮な空気はマイナスイオンと共に吹出口３７から吹き出される。このとき容器４０ａ、４０ｂの水溶液は電磁ポンプ４３ａ、４３ｂによって細管４１ａ、４１ｂを経て噴霧口４２から所定量が連続して噴霧される。そしてマイナスイオンを含む調和空気と合流して吹出口３７から吹き出される。エアサプリメント装置３４を就寝時の身近に設置することで調和空気の雰囲気に包まれ、カモミールのハーブはその鎮静作用により睡眠導入と疲労回復を、そしてプロラクチンは肌に潤いを与える効果が高いことから化粧品にも使用されるものであり健康な素肌の維持向上が得られる。
【００５８】
なお、実施の形態３に示すように、下流側の先端にラッパ状吹出口３０を設けた屈曲自在の可撓管２９を用いて調和空気の放出を使用者の顔面に集中させることも効果的である。
【産業上の利用可能性】
【００５９】
以上のように本発明にかかる空調枕及び水微細化装置とエアサプリメント装置は、電源確保が可能な列車及び自動車等の車両や航空機等においても使用が可能であり、多人数の空間における平均的な空調雰囲気の中で長時間を過ごすことに支障を感じる、例えば高齢者或いは何らかの疾病を抱えながら日常生活を送っている人達の行動を介助するという社会福祉の用途にも適用できる。
【図面の簡単な説明】
【００６０】
【図１】本発明の実施の形態１の空調枕を示す要部破断構成図
【図２】同実施の形態１の使用状態を示す外観斜視図
【図３】同実施の形態２の空調枕を示す要部破断側面図
【図４】同実施の形態３の使用状態を示す外観斜視図
【図５】同実施の形態４の水微細化装置を示す要部破断側面図
【図６】同実施の形態５のエアサプリメント装置を示す要部破断側面図
【図７】従来の冷却枕の要部破断斜視図
【符号の説明】
【００６１】
１、１９  空調本体
２、２０  躯体
３    吸込口
４    吹出口
７    送風部
８、２４  水タンク
９    気化フィルタ
１２  シロッコ翼車
１４  気流路
１５  枕本体
１６  外層部
１７  送気管
２１  駆動部
２２  アクアユニット部
２５  回転噴射盤
２６  吸水管
２７  衝突壁
２８  気水分離板
２９  可撓管
３０  ラッパ状吹出口
３１  酸素発生装置
３２、４１ａ、４１ｂ  細管
３３  掛止部
３４  エアサプリメント装置
４０  サプリメント部
４０ａ、４０ｂ  容器
４２  噴霧口
４３ａ、４３ｂ  電磁ポンプ
【図１】
2005111048.tif 000003
【図２】
2005111048.tif 000004
【図３】
2005111048.tif 000005
【図４】
2005111048.tif 000006
【図５】
2005111048.tif 000007
【図６】
2005111048.tif 000008
【図７】
2005111048.tif 000009